(57)【要約】【課題】従来の技術による諸問題を解決するため、着信音を自由に変更できる電話機を提供する。【解決手段】電話機は、外部ラインとカップリングされるインターフェイス回路と、インターフェイス回路とカップリングされ、電話機の操作を制御する制御回路と、制御回路とカップリングされ、外部保存装置とカップリングして制御回路の制御に従って外部保存装置から音声ファイルを読み込むホストデバイスコントローラーと、ホストデバイスコントローラーにカップリングされ、ホストデバイスコントローラーが読み込んだ音声ファイルを再生するための音声出力装置と、制御回路にカップリングされ、ダイヤルを行うか情報を制御回路に入力するためのキーパッドとを含む。【選択図】図２
0003116750.tif 000002
【実用新案登録請求の範囲】
【請求項１】
電話機であって、
外部ラインとカップリングされるインターフェイス回路と、
インターフェイス回路とカップリングされ、電話機の操作を制御する制御回路と、
制御回路とカップリングされ、外部保存装置とカップリングして制御回路の制御に従って外部保存装置から音声ファイルを読み込むホストデバイスコントローラーと、
ホストデバイスコントローラーにカップリングされ、ホストデバイスコントローラーが読み込んだ音声ファイルを再生するための音声出力装置と、
制御回路にカップリングされ、ダイヤルを行うか情報を制御回路に入力するためのキーパッドとを含むことを特徴とする電話機。
【請求項２】
前記制御回路は、
ダイヤル制御を行うダイヤル装置と、
発信者情報により、発信者に対応する音声ファイルを再生するような指令を発する指令発生ユニットとを含むことを特徴とする請求項１記載の電話機。
【請求項３】
前記制御回路がマイクロコントローラーであることを特徴とする請求項１記載の電話機。
【請求項４】
前記外部保存装置はＵＳＢ規格準拠の保存装置であり、前記ホストデバイスコントローラーはＵＳＢホストデバイスコントローラーであることを特徴とする請求項１記載の電話機。
【請求項５】
前記外部保存装置はメモリーカードであり、前記ホストデバイスコントローラーはメモリーカードホストデバイスコントローラーであることを特徴とする請求項１記載の電話機。
【請求項６】
前記ホストデバイスコントローラーは音声ファイルをデコードして音声信号を発する構成であることを特徴とする請求項１記載の電話機。
【請求項７】
前記音声出力装置は、
音声信号を増幅する増幅回路と、
増幅回路とカップリングされ、増幅された音声信号により音声ファイルを再生するスピーカーとを含むことを特徴とする請求項６記載の電話機。
【請求項８】
前記音声出力装置は、
音声信号により音声ファイルを再生するスピーカーを含むことを特徴とする請求項６記載の電話機。
【請求項９】
前記ホストデバイスコントローラーは外部保存装置から読み込まれた保留音ファイルをデコードして音声信号を発することを特徴とする請求項１記載の電話機。
【請求項１０】
前記電話機は更に、
インターフェイス回路と、制御回路と、ホストデバイスコントローラーとカップリングされ、制御回路の制御にしたがって音声信号をインターフェイス回路を通して外部ラインに向けて再生する保留音制御装置とを含むことを特徴とする請求項９記載の電話機。
【請求項１１】
前記音声出力装置は音声信号を増幅する増幅回路を含み、前記電話機は更に、
インターフェイス回路と、制御回路と、増幅回路とカップリングされ、制御回路の制御にしたがって増幅された音声信号をインターフェイス回路を通して外部ラインに向けて再生する保留音制御装置とを含むことを特徴とする請求項９記載の電話機。
【請求項１２】
前記保留音ファイルが発信者情報と対応することを特徴とする請求項９記載の電話機。
【請求項１３】
前記キーパッドは発信者情報に対応して保留音ファイルを設定する構成であることを特徴とする請求項１２記載の電話機。
【請求項１４】
前記保留音ファイルが前記音声ファイルまたはその他の音声ファイルであることを特徴とする請求項９記載の電話機。
【請求項１５】
前記制御回路はキーパッドで入力された情報により、外部保存装置から前記音声ファイルまたはその他の音声ファイルを読み込むようにホストデバイスコントローラーをトリガーし、前記音声出力装置は読み込まれた音声ファイルを再生する構成であることを特徴とする請求項１記載の電話機。
【請求項１６】
前記電話機は更に、
制御回路またはホストデバイスコントローラーにカップリングされ、外部保存装置から前記音声ファイルまたはその他の音声ファイルを読み込むようにホストデバイスコントローラーをトリガーするためのボタンを含み、そのうち前記音声出力装置は読み込まれた音声ファイルを再生する構成であることを特徴とする請求項１記載の電話機。
【請求項１７】
前記キーパッドは発信者情報に対応して音声ファイルを設定する構成であることを特徴とする請求項１記載の電話機。
【請求項１８】
前記電話機は更に、
制御回路とカップリングされ、発信者情報を表示する表示装置を含むことを特徴とする請求項１記載の電話機。
【請求項１９】
前記電話機は更に、
ホストデバイスコントローラーと接続され、ホストデバイスコントローラーが外部保存装置から読み込んだデータを保存するメモリーを含むことを特徴とする請求項１記載の電話機。
【考案の詳細な説明】
【技術分野】
【０００１】
この考案は電話機に関し、特に着信音を自由に変更できる電話機に関する。
【背景技術】
【０００２】
図１を参照する。図１は従来の電話機１０を表す説明図である。電話機１０の本体１０ａはインターフェイス回路１１と、ダイヤル装置１３と、キーパッド１５とを含み、そのうちインターフェイス回路１１は外部ライン６０とカップリングされる。なお、電話機１０の受話器１０ｂはインターフェイス回路１１にカップリングされ、もって受話器１０ｂ、インターフェイス回路１１、外部ライン６０などの装置により外部との通話に供する。ダイヤル装置１３はキーパッド１５で入力された情報により、インターフェイス回路１１を利用してダイヤルなど電話機の基本機能を実行する。
【０００３】
市販の電話機のうち普通の機種は内部回路で一定の周波数を有する信号を発し、またそれをスピーカーまたはブザーで着信音として出力する。それに対して機能が高い機種は内部回路で一定の音源信号を発し、またそれをスピーカーで一定の内容を有する和音に変換して着信音として出力する。このように従来の電話機の着信音は単調で変化に乏しく、その内容を自由に変更することができない。
【考案の開示】
【考案が解決しようとする課題】
【０００４】
この考案は前述のような従来の技術の問題を解決するため、着信音を自由に変更できる電話機を提供することを課題とする。
【課題を解決するための手段】
【０００５】
この考案による電話機は、外部ラインとカップリングされるインターフェイス回路と、インターフェイス回路とカップリングされ、電話機の操作を制御する制御回路と、制御回路とカップリングされ、外部保存装置とカップリングして制御回路の制御に従って外部保存装置から音声ファイルを読み込むホストデバイスコントローラーと、ホストデバイスコントローラーにカップリングされ、ホストデバイスコントローラーが読み込んだ音声ファイルを再生するための音声出力装置と、制御回路にカップリングされ、ダイヤルを行うか情報を制御回路に入力するためのキーパッドとを含む。
【考案の効果】
【０００６】
この考案によれば、使用者は外部保存装置に保存される音声ファイルを自由に変更することによって、電話機の着信音と保留音は自由に変更することができる。なお、この考案による電話機が故障した場合には、使用者は外部保存装置をこの考案によるその他の電話機にカップリングするのみで、外部保存装置に保存される音声ファイルを利用することができる。更に、この考案による電話機は外部保存装置の音声ファイルを再生する再生装置とすることもできる。
【考案を実施するための最良の形態】
【０００７】
かかる装置の特徴を詳述するために、具体的な実施例を挙げ、図示を参照して以下に説明する。
【実施例１】
【０００８】
図２を参照する。図２はこの考案の実施例１による電話機１００を表す説明図である。電話機１００はインターフェイス回路１１０と、制御回路１２０と、ホストデバイスコントローラー（ＨＤＣ）１３０と、音声出力装置１４０と、キーパッド１５０と、保留音制御装置１６０と、表示装置１７０とを含む。そのうち制御回路１２０はダイヤル装置１２２と指令発生ユニット１２４を含み、音声出力装置１４０は増幅回路１４２とスピーカー１４４を含む。ホストデバイスコントローラー１３０は外部保存装置８０にカップリングされ、外部保存装置８０はＵＳＢ（ユニバーサルシリアルバス）規格準拠の保存装置であり、ホストデバイスコントローラー１３０はＵＳＢをサポートするホストデバイスコントローラーである。なお、この実施例における表示装置１７０は液晶ディスプレイである。
【０００９】
インターフェイス回路１１０は外部ライン６０とカップリングされ、外部ライン６０からの発信者情報（caller ID）を受信するものである。電話機１００の受話器（非表示）はインターフェイス回路１１０にカップリングされ、受話器、インターフェイス回路１１０、外部ライン６０などの装置を通じて通話者間の通話に供するものである。制御回路１２０は電話機１００の操作を制御するものであり、その中のダイヤル装置１２２はダイヤル制御を行い、指令発生ユニット１２４は発信先番号などの発信者情報により相応の指令ＣＭＤを発し、ホストデバイスコントローラー１３０が外部保存装置８０にある相応の音声ファイルを読み込むようにさせる。読み込まれた音声ファイルは音声信号Ｓ１にデコードされてから、音声出力装置１４０に送信されて再生される。この実施例による音声出力装置１４０においては、増幅回路１４２は音声信号Ｓ１を増幅して増幅済音声信号Ｓ２として発し、スピーカー１４４はこの増幅済音声信号Ｓ２を再生する。
【００１０】
外部保存装置８０にある音声ファイルは種々のソースから取得することができる。例えばインターネットと接続するコンピューターシステムにカップリングして音声ファイルをダウンロードするか、またはコンピューターシステムのマイクロホンで録音を行うか、もしくはコンピューターシステムのアプリケーションで音声ファイルを製作するなどは可能である。その際、外部保存装置８０をＵＳＢポートを有するコンピューターシステムにカップリングするのみで、ファイルを取得して電話機１００の着信音とすることができる。
【００１１】
この実施例によるキーパッド１５０はダイヤルを行うまたは情報を制御回路１２０に入力するものである。使用者は個人の好みまたは要求に応じ、キーパッド１５０で発信者と音声ファイルとの対応関係を予め設定することができる。すなわち、この考案による電話機１００は発信者ごとに着信音を異にすることができるのである。使用者が予め設定を行っていない場合には、制御回路１２０はその代わりに予定の規則により音声ファイルを着信音として選ぶ。例えば制御回路１２０がランダムで選ぶか、または外部保存装置８０における最初の音声ファイルを選ぶかはいずれも可能である。制御回路１２０はキーパッド１５０で入力された情報により、外部保存装置８０から音声ファイルを読み込むようにホストデバイスコントローラー１３０をトリガーする。
【００１２】
この実施例によるホストデバイスコントローラー１３０は更に外部保存装置８０から読み込んだ音声メッセージまたは音楽などの音声ファイルをデコードし、それを音声信号Ｓ１と発して保留音とすることができる。保留音制御装置１６０は制御回路１２０の制御に従い、音声信号Ｓ１から増幅された音声信号Ｓ２をインターフェイス回路１１０を通して外部ライン６０に向けて再生する。使用者はキーパッド１５０で外部保存装置８０のいずれかの音声ファイルを保留音として予め設定し、またはキーパッド１５０を利用して発信者ごとに異なる複数の保留音を予め設定することができる。使用者が予め設定を行っていない場合には、制御回路１２０はその代わりに予定の規則により音声ファイルを保留音として選ぶ。例えば制御回路１２０が最初の音声ファイルを選ぶか、または電話機１００が最近に再生した音声ファイルを選ぶかはいずれも可能である。
【００１３】
実施例１のその他の応用においては、保留音制御装置と増幅回路は両方ともホストデバイスコントローラーにカップリングされ、ホストデバイスコントローラーに出力された音声信号を受信するものである。保留音制御装置はホストデバイスコントローラーによる音声信号をインターフェイス回路を通して外部ラインに向けて再生することができる。それ以外は実施例１と同じであり、ここでその詳しい説明を省略するとする。
【００１４】
実施例１の更なる応用においては、外部保存装置はメモリーカードとされ、ホストデバイスコントローラーはメモリーカードをサポートするホストデバイスコントローラーとされる。ホストデバイスコントローラーはインターフェイスを介して、メモリーカードにアクセスすることができる。市販のコンピューターシステムにはカードリーダーを備える機種があり、カードリーダーを備えない場合でも、外付けのカードリーダーをコンピューターシステムにカップリングすることによって増設することができる。これにより使用者は種々の音声ファイルを電話機の着信音として設定することができる。それ以外は実施例１と一致しているので、ここでその説明を省略する。実施例１以外の実施例においても、外部保存装置をＵＳＢコネクターのある携帯型保存装置、例えばフラッシュメモリーまたはマイクロハードディスクドライブにすることも可能である。この場合、ＵＳＢポートを通じてホストデバイスコントローラーは外部保存装置にアクセスすることができる。
【実施例２】
【００１５】
図３を参照する。図３はこの考案の実施例２による電話機２００を表す説明図である。実施例２は実施例１と類似したものであり、その相違点については以下の通りである。電話機２００の制御回路２２０はマイクロコントローラーであり、制御回路１２０のすべての機能を実行することができる。なお、電話機２００は１個以上のボタン１８０を具え、ボタン１８０は制御回路２２０を通してホストデバイスコントローラー１３０にカップリングされ、再生するため外部保存装置８０から音声ファイルを読み込むようにホストデバイスコントローラー１３０をトリガーするものである。この実施例のその他の応用においては、電話機は、音声ファイルの選択と、再生するため外部保存装置から音声ファイルを読み込むようにホストデバイスコントローラーをトリガーすることに供する複数のボタンを具える。この実施例の更なる応用においては、１個以上のボタンはホストデバイスコントローラーとカップリングされる。
【実施例３】
【００１６】
図４を参照する。図４はこの考案の実施例３による電話機３００を表す説明図である。実施例３は実施例２と類似したものであり、その相違点については以下の通りである。電話機３００の音声出力装置３４０はスピーカー３４４を含み、スピーカー３４４と保留音制御装置１６０はいずれもホストデバイスコントローラー３３０にカップリングされ、ホストデバイスコントローラー３３０によって出力された音声信号Ｓ３を受信するものである。保留音制御装置１６０はホストデバイスコントローラー３３０による音声信号Ｓ３を、インターフェイス回路１１０を通して外部ライン６０に向けて再生する。それ以外は実施例２と一致しており、ここでその説明を省略する。
【００１７】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【００１８】
例えば、この考案による電話機の制御回路とホストデバイスコントローラーを一体化することが可能である。なお、ホストデバイスコントローラーに、外部保存装置から読み込んだデータを保存するためのメモリーを接続して設置することも可能である。この場合、外部保存装置のデータをメモリーに保存した後、外部保存装置を取り外しても、受信時に制御回路は、メモリーから音声ファイルを取得して音声出力装置で再生するようにホストデバイスコントローラーを制御することができる。更に、ＵＳＢ技術を熟知している当業者に周知される通り、この考案のホストデバイスコントローラーをＵＳＢ  ＯＴＧ規格準拠のものにすることも可能である。
【産業上の利用可能性】
【００１９】
この考案によれば、使用者は外部保存装置に保存される音声ファイルを自由に変更することによって、電話機の着信音と保留音は自由に変更することができる。
【図面の簡単な説明】
【００２０】
【図１】従来の電話機を表す説明図である。
【図２】この考案の実施例１による電話機を表す説明図である。
【図３】この考案の実施例２による電話機を表す説明図である。
【図４】この考案の実施例３による電話機を表す説明図である。
【符号の説明】
【００２１】
１０、１００、２００、３００    電話機
１０ａ                          本体
１０ｂ                          受話器
１１、１１０                    インターフェイス回路
１３、１２２                    ダイヤル装置
１５、１５０                    キーパッド
６０                            外部ライン
８０                            外部保存装置
１２０、２２０、３２０          制御回路
１２４                          指令発生ユニット
１３０、３３０                  ホストデバイスコントローラー
１４０、３４０                  音声出力装置
１４２                          増幅回路
１４４、３４４                  スピーカー
１６０                          保留音制御装置
１７０                          表示装置
１８０                          ボタン
【図１】
0003116750.tif 000003
【図２】
0003116750.tif 000004
【図３】
0003116750.tif 000005
【図４】
0003116750.tif 000006